(57)【要約】      （修正有）【課題】２人の作業者によって少ない労力と時間で作業性よく一気に水滴拭取り作業を行うことができる洗車用吸水性クロスを提供する。【解決手段】長さが自動車のルーフ幅寸法よりも長く、かつ、長手方向の両端に作業者にとっての手掴み代Ｇが確保された吸水性を有する折畳み可能な細長い帯状クロス１０でなる。該帯状クロスは、展開状態の長さ寸法を幅寸法の６倍以上に定めてある。帯状クロス１０が、極細繊維を素材とする起毛仕上げされた不織布でなることが望ましい。【選択図】図４
0003146013.tif 000002
【実用新案登録請求の範囲】
【請求項１】
長さ寸法が自動車のルーフ幅寸法よりも長く、かつ、長手方向の両端に作業者にとっての手掴み代が確保された吸水性を有する折畳み可能な細長い帯状クロスでなり、展開状態の長さ寸法を幅寸法の６倍以上に定めてあることを特徴とする洗車用吸水性クロス。
【請求項２】
上記帯状クロスの幅寸法を１０ｃｍ以上に定めてあり、長さ寸法を１００ｃｍ以上に定めてあって、上記長手方向での上記手掴み代寸法を１５ｃｍ以下に定めてある請求項１に記載した洗車用吸水性クロス。
【請求項３】
上記帯状クロスが、極細繊維を素材とする起毛仕上げされた不織布でなる請求項１又は請求項２に記載した洗車用吸水性クロス。
【考案の詳細な説明】
【技術分野】
【０００１】
本考案は、洗車用吸水性クロス、特に、自動車の車体に付着している水滴や雨滴の拭取り作業性を高めるための対策を講じた洗車用吸水性クロスに関する。
【背景技術】
【０００２】
自動車の洗車後に車体に残った水滴や車体に付着した雨滴を洗車用吸水性クロスで拭き上げるという水滴拭取り作業は、洗車業者や自動車所有者などが通常行う作業である。この水滴拭取り作業に好適に用い得る吸水性クロスとして、起毛処理した極細繊維でなる不織布などが従来より用いられている（たとえば、特許文献１参照）ほか、綿布やセーム革なども吸水性クロスとして多々用いられている。また、ロール巻き状に保形した拭取りクロスをグリップから延び出たシャフトに回転可能に取り付けてなる洗車用拭取り具も知られていた（たとえば、特許文献２参照）。
【特許文献１】特開２００４−００８５０１号公報
【特許文献２】特開平９−２９５５５９号公報
【０００３】
一方、吸水性クロスを用いる水滴拭取り作業に用いる吸水性クロスの形状は、大抵の場合に矩形に定められていて、吸水性クロスのサイズ（大きさ）は、展開した状態又は折り畳んだ状態のときに、作業者が手のひらで吸水性クロスのほゞ全体を車体に押し付けることのできる程度のサイズに定めてある。具体的には、展開した吸水性クロスのサイズを成人作業者の手のひらの平均的な大きさを基準としてその手のひらと同程度に定めていたか、あるいは、大きな矩形の吸水性クロスを２つ折りや４つ折りなどに折り畳んだときのサイズが手のひらと同程度になるように定めていた。たとえば、従来の吸水性クロスの中には長さ寸法が７０ｃｍ程度、幅寸法が４０ｃｍ程度の矩形のものがあった。また、長さ寸法が４２ｃｍ程度、幅寸法が３３ｃｍ程度の矩形のものも知られていた。そして、それらの吸水性クロスは、２つ折りにしたり４つ折りにしたりして１人の作業者が片手又は両手の手のひらで車体に押し付けて使用していた。
【考案の開示】
【考案が解決しようとする課題】
【０００４】
しかしながら、自動車の車体に付着している水滴や雨滴を１人の作業者によって吸水性クロスで拭き上げるという水滴拭取り作業には多くの労力と共に時間が費やされてしまう。また、従来の吸水性クロスを用いる水滴拭取り作業では、上記したように吸水性クロスの略全体を１人の作業者の手のひらで車体に押し付けて行っていたので、車体に対する吸水性クロスの重なり面積が小さく抑えられてしまい、一気に広い範囲の水滴を拭き上げて作業性を高めることに困難があった。
【０００５】
本考案は以上の状況の下でなされたものであり、吸水性クロスの形状に工夫を講じることによって、水滴拭取り作業を２人の作業者によって少ない労力と時間で作業性よく行うことのできる洗車用吸水性クロスを提供することを目的とする。併せて、本考案は、１人の作業者によっても、水滴拭取り作業を少ない労力と時間で作業性よく行うことのできる洗車用吸水性クロスを提供することを目的とする。
【課題を解決するための手段】
【０００６】
本考案に係る洗車用吸水性クロスは、長さ寸法が自動車のルーフ幅寸法よりも長く、かつ、長手方向の両端に作業者にとっての手掴み代が確保された吸水性を有する折畳み可能な細長い帯状クロスでなり、展開状態の長さ寸法を幅寸法の６倍以上に定めてある。
【０００７】
この構成を備えた吸水性クロスによると、たとえば自動車のルーフに付着している水滴を拭き上げるときに、そのルーフの上に横切って掛け渡した吸水性クロスの一端と他端の手掴み代部分を、自動車の両側で２人の作業者が各別に手で掴み、作業者２人の共働作業で吸水性クロスを各作業者が交互に引いたりしてその吸水性クロスを長手方向に往復移動させたり、その吸水性クロスをルーフの前方向又は後方向に滑らせて移動させたりすると、ルーフの全体に亘って付着している水滴や雨滴を少ない労力でしかも短時間で一気に拭き上げることが可能になる。また、この考案の洗車用吸水性クロスでは、長さ寸法が自動車のルーフ幅寸法よりも長くなっていて、しかも、展開状態の長さ寸法が幅寸法の６倍以上に定められていることにより、現存する大抵の自動車のルーフの水滴や雨滴を、作業者が無理な姿勢をとることなく、たとえば両手を大きく拡げたりすることなく、上記手順で一気に拭き上げることができるという利点がある。
【０００８】
本考案では、上記帯状クロスの幅寸法を１０ｃｍ以上に定めてあり、長さ寸法を１００ｃｍ以上に定めてあって、上記長手方向での上記手掴み代寸法を１５ｃｍ以下に定めてある、という構成を採用することが可能である。この構成であれば、帯状クロスの幅寸法が１０ｃｍ以上に定められていることにより、作業者がその手掴み代部分を片手又は両手で掴んで無理なく掴んで作業を行うことができる。特に、帯状クロスの幅寸法を成人作業者の肩幅と同程度、具体的には２０〜３０ｃｍに定めておくと、作業者の肩幅に拡げた両手で帯状クロスの手掴み代を楽な姿勢で掴んで作業を行いやすい。この点に関し、帯状クロスの幅寸法が３０ｃｍよりも広い場合であっても、その帯状クロスを長さ方向の線に沿って２つ折り又は３つ折りなどに折り畳んでその幅寸法を２０〜３０ｃｍに定めることも可能である。したがって、帯状クロスの幅寸法が１０ｃｍ以上に定められていることにより、成人作業者の肩幅に比べて帯状クロスの幅寸法がいたずらに長かったり短かったりすることがなくなり、水滴拭取り作業を楽に行うことができるようになる。その上、手掴み代が１５ｃｍ以下に定められているために、その手掴み代部分を作業者が片手又は両手で強く確実に掴んで作業を行うことができるようになり、そのことが水滴拭取り作業の作業性を高めることに役立つ。
【０００９】
本考案では、上記帯状クロスが、極細繊維を素材とする起毛仕上げされた不織布でなることが望ましい。極細繊維にはポリエステル系の極細繊維を好適に用いることができる。このように帯状クロスとして、極細繊維を素材とする起毛仕上げされた不織布が用いられていると、水滴や雨滴が付着した車体の塗装面が傷付きにくいだけでなく、拭取り作業時の滑り性が改善されて作業を楽に行うことができるようになる。
【考案の効果】
【００１０】
以上のように、本考案によれば、吸水性クロスの形状に工夫を講じただけの構成でありながら、２人の作業者によって少ない労力と時間で作業性よく一気に拭取り作業を行うことができるようになる。また、１人の作業者が両手で吸水性クロスの両端を掴んで作業を行うときにも同様に、少ない労力と時間で作業性よく拭取り作業を行うことができるようになる。
【考案を実施するための最良の形態】
【００１１】
図１は本考案に係る洗車用吸水性クロスを説明的に示した平面図、図２は同吸水性クロスを２つ折りに折り畳んだ状態を説明的に示した側面図、図３は同吸水性クロスを４つ折りに折り畳んだ状態を説明的に示した側面図である。
【００１２】
図１〜図３に例示した吸水性クロスは、吸水性を有する折畳み可能な細長い帯状クロス１０でなる。吸水性を有して折畳み可能な帯状クロス１０の素材には、たとえばポリエステル系、アクリル系、ナイロン、ポリプロピレン系、レーヨン系などの樹脂でなる極細繊維やその他の樹脂繊維が知られているほか、綿布やセーム革なども含まれ、ポリエステル系樹脂の極細繊維を好適に用い得る。この帯状クロス１０は、一層に展開した状態において細長い帯状に形成されていればよく、折り畳んだ状態での形状が細長い帯状である否かを問わない。
【００１３】
図１〜図３に示した帯状クロス１０は、極細繊維を素材とする起毛仕上げされた不織布でなる。極細繊維とは、０．０２〜０．５ｄｔ（デシテックス）程度の太さを有している。帯状クロス１０の素材としての極細繊維は、長繊維であっても、１〜５１ｍｍ程度にカットされた短繊維であってもよい。そして、その不織布の表面を起毛処理することによって表面柔軟性を高めてある。帯状クロス１０の表面を起毛処理してあるのは、自動車の車体の塗膜と擦れ合ったときに塗膜を傷付けにくくするためである。また、帯状クロス１０の全体の吸水作用を高めるためでもある。
【００１４】
一層に展開した状態での帯状クロス１０の長さ寸法Ｌは、自動車のルーフ幅寸法よりも長いことが必要である。自動車のルーフ幅寸法は、車種やグレードによって相違している。たとえば、ルーフ幅寸法は、軽自動車よりも普通乗用車の方が一般的に長い。本考案に係る帯状クロス１０の長さ寸法Ｌは、自動車の車種に応じて個別に定めておくことが可能であるほか、十分に長いルーフ幅寸法を基準にして定めておき、それを折り畳んで車種ごとに異なるルーフ幅寸法に見合う長さにすることも可能である。
【００１５】
展開状態での帯状クロス１０の長さ寸法Ｌとその幅寸法Ｗとの関係では、長さ寸法Ｌを幅寸法Ｗの６倍以上に定めてあることが必要であり、長さ寸法Ｌが幅寸法Ｗの６倍よりも短いものは本考案の範囲から除外されている。これは、後述する手掴み代Ｇを作業者が片手又は両手で掴むときの掴みやすさや、両端の手掴み代Ｇ，Ｇの相互間の有効部分Ａを水滴拭取り作業に用いるときの使い勝手などを考慮した結果に基づいている。たとえば、長さ寸法Ｌが幅寸法Ｗの６倍よりも短いものは、長さ寸法Ｌを自動車のルーフ幅寸法よりも長くした場合に、紐状になって帯状と云える程度の平坦性を保持しえなくなり、水滴の拭上げ作業に用いるのに適さないようになることがある。
【００１６】
また、展開状態での帯状クロス１０の両端には上記手掴み代Ｇ，Ｇを確保しておくことが必要である。この手掴み代Ｇを展開状態での帯状クロス１０の一端と他端との両方に確保しておくことにより、２人の作業者が各別にそれらの手掴み代Ｇを手で掴んで水滴拭取り作業を行うことができるようになる。
【００１７】
上記のように、帯状クロス１０の長さ寸法Ｌは幅寸法Ｗの６倍以上に定められていて、その範囲内では、幅寸法Ｗを１０〜３０ｃｍに定め、長さ寸法Ｌを１００ｃｍ以上に定めてあって、長手方向での手掴み代Ｇの寸法を１５ｃｍ以下に定めてあってもよい。したがで、具体的商品として、帯状クロス１０の長さ寸法Ｌを１２７ｃｍ、幅寸法Ｗを２０ｃｍに定めたものを提供することが可能である。特に、幅寸法Ｗを２０ｃｍに定めてあり、長さ寸法Ｌを１２０ｃｍ以上に定めてあって、長手方向での手掴み代Ｇの寸法を１５ｃｍ以下に定めたものでは、普通乗用車のルーフに付着した水滴や雨滴を２人の作業が共働して拭き上げるのに適している。
【００１８】
図１を参照して説明した吸水性クロスは、その帯状クロス１０を折り畳んで長さを短くしたり、長さ及び幅を短くしたりすることができるほか、折り畳むことによって、その長さや大きさを、作業を行いやすいように調節することが可能である。図２は、帯状クロス１０を、その長手方向中央部で２層に折り畳んで長さを１／２にした状態を示している。また、図３は、図２のように２層に折り畳んだ帯状クロス１０を、さらにその長手方向中央部で折り畳んで４層にすることにより、長さを１／４にした状態を示している。
【００１９】
次に、帯状クロス１０でなる上記吸水性クロスを用いた水滴拭取り作業を説明する。
【００２０】
図４は２人の作業者が共働して水滴拭取り作業を行っている状態を自動者の後方上側から見て概略で示した説明図、図５及び図６は１人の作業者だけで水滴拭取り作業を行っている状態を概略で示した説明図である。
【００２１】
１層に展開した状態の帯状クロス１０は、その長さ寸法Ｌが自動車のルーフ幅寸法よりも長くなっている。したがって、その帯状クロス１０でなる吸水性クロスは、図４のように自動車の車体Ｒ、たとえばルーフの上に横切って掛け渡すことが可能である。そのため、ルーフの上に横切って掛け渡した吸水性クロスの一端と他端の手掴み代Ｇ，Ｇの部分を、自動車の両側で２人の作業者が各別に手Ｈ１，Ｈ２で掴み、作業者２人の共働作業で吸水性クロスを各作業者が交互に引いたりしてその吸水性クロスを長手方向に往復移動させたり、その吸水性クロスをルーフの前方向又は後方向（幅方向）に滑らせて移動させたりすると、ルーフの全体に亘って付着している水滴や雨滴が、少ない労力でしかも短時間で一気に拭き上げられることになる。実際の作業では、２人の作業者のそれぞれが、両手で吸水性クロスを幅方向に引張って拡げた状態を維持しつつ、上記のように長手方向や前方向又は後方向（幅方向）に滑らせることが望ましく、そのようにすると、広い範囲を拭き残しなく一気に拭き上げることが可能である。
【００２２】
自動車の車体のルーフ以外の部分、たとえばボンネットなども同様の作業を行うことにより、それに付着している水滴を一気に拭き上げることが可能である。
【００２３】
図５は１人の作業者が２層に折り畳んだ図２の吸水性クロスを用いて自動車の車体Ｒに付着している水滴を拭き上げる作業を示している。この作業では、１人の作業者が両手Ｈ，Ｈを用いて吸水性クロスの両端を掴んだ状態のまま、吸水性クロスを自動車の車体Ｒに重ね合わせて動かすということを行う。このようにすることにより、１人の作業者によって水滴を拭き上げることが可能になる。なお、この作業では、吸水性クロスの長手方向の両端に手掴み代を確保しておくことが必要である。
【００２４】
図６は４層に折り畳んだ図３の吸水性クロスを用いて自動車の車体Ｒに付着している水滴を拭き上げる作業を示している。同図に示した作業では、自動車の車体Ｒに重ね合わせた吸水性クロスを１人の作業者が片手で動かして水滴を拭き上げるということが行われる。このようにすることにより、１人の作業者によって水滴を拭き上げることが可能になる。
【００２５】
図１〜図３を参照して上記したように、この実施形態の吸水性クロスは、２人の作業者が共働して広い範囲に付着している水滴を一気に拭き上げることが可能であるだけでなく（図４参照）、１人の作業者が比較的広い範囲を効率よく拭き上げることが可能であり（図５参照）、さらに、１人の作業者が狭い範囲を拭き上げることも可能である（図６参照）。
【００２６】
特に、図４のように、２人の作業者が共働して広い範囲に付着している水滴を一気に拭き上げることが可能であることにより、自動車の車体のルーフやボンネットなどに付着した水滴を楽にしかも短時間で効率よく拭き上げることができるという特筆すべき作用を発揮する。
【図面の簡単な説明】
【００２７】
【図１】本考案に係る洗車用吸水性クロスを説明的に示した平面図である。
【図２】同吸水性クロスを２つ折りに折り畳んだ状態を説明的に示した側面図である。
【図３】同吸水性クロスを４つ折りに折り畳んだ状態を説明的に示した側面図である。
【図４】２人の作業者が共働して水滴拭取り作業を行っている状態を自動者の後方上側から見て概略で示した説明図である。
【図５】１人の作業者が両手を用いて水滴拭取り作業を行っている状態を概略で示した説明図である。
【図６】１人の作業者が片手だけで水滴拭取り作業を行っている状態を概略で示した説明図である。
【符号の説明】
【００２８】
１０  帯状クロス
Ｇ  手掴み代
Ｌ  長さ寸法
Ｗ  幅寸法
【図１】
0003146013.tif 000003
【図２】
0003146013.tif 000004
【図３】
0003146013.tif 000005
【図４】
0003146013.tif 000006
【図５】
0003146013.tif 000007
【図６】
0003146013.tif 000008